(57)【特許請求の範囲】
【請求項１】
交流電源から供給される交流電力を、直流電力に変換する電源装置において、
電解コンデンサと、
上記電解コンデンサの両端電圧を測定する電圧測定回路と、
上記交流電源からの交流電力の供給が停止したのち、所定の時間が経過するまでの間、制御電源を生成する制御電源回路と、
上記制御電源回路が生成した制御電源により動作し、上記電圧測定回路が測定した上記電解コンデンサの両端電圧に基づいて、上記電解コンデンサが寿命であるか否かを判定する寿命判定回路と、
上記交流電源からの交流電力の供給が継続する通電時間を累積した累積時間を記憶する累積時間記憶部と
を有し、
上記寿命判定回路は、
上記交流電源からの交流電力の供給が停止した場合に、上記累積時間が予め定められた初期時間よりも短いか否かを判定するとともに、上記累積時間が、予め定められた末期時間であって上記初期時間より長い末期時間よりも長いか否かを判定する累積時間判定部と、
上記累積時間が上記初期時間よりも短い、あるいは、上記累積時間が上記末期時間よりも長いと判定された場合、上記交流電源からの交流電力の供給が停止した直後に上記電圧測定回路が測定した上記電解コンデンサの両端電圧を記憶する電圧記憶部と、
上記累積時間が上記初期時間よりも短い、あるいは、上記累積時間が上記末期時間よりも長いと判定された場合、上記交流電源からの交流電力の供給が停止してから所定の時間が経過したのちに上記電圧測定回路が測定した上記電解コンデンサの両端電圧を、上記電圧記憶部が記憶した上記電解コンデンサの両端電圧で割った商を算出する商算出部と、
上記累積時間が上記末期時間よりも長いと判定された場合に、上記累積時間が上記初期時間よりも短い場合に上記商算出部により算出された第１の商と、上記累積時間が上記末期時間よりも長い場合に上記商算出部により算出された第２の商とに基づいて、上記電解コンデンサが寿命であるか否かを判定する寿命判定部と
を有することを特徴とする電源装置。
【請求項２】
上記寿命判定回路は、さらに、
上記累積時間が上記初期時間よりも短いと判定された場合に、上記商算出部が算出した上記第１の商に基づいて閾値を算出し、算出した上記閾値を閾値記憶部に記憶する閾値算出部を備え、
上記寿命判定部は、
上記閾値記憶部に記憶された上記閾値と上記第２の商とに基づいて、上記電解コンデンサが寿命であるか否かを判定することを特徴とする請求項１に記載の電源装置。
【請求項３】
上記閾値算出部は、
現在までに上記閾値算出部が商を算出した回数と現在までに上記閾値算出部により算出された商の合計値とを取得し、上記合計値を上記回数で割った値に所定の係数を乗じた積を上記閾値として算出することを特徴とする請求項２に記載の電源装置。
【請求項４】
上記寿命判定部は、
上記商算出部により算出された上記第２の商を上記閾値記憶部に記憶された上記閾値と比較して、上記第２の商が上記閾値より小さい場合に、上記電解コンデンサが寿命であると判定することを特徴とする請求項２または請求項３に記載の電源装置。
【請求項５】
上記寿命判定回路は、
上記寿命判定部が判定した判定結果を記憶する判定結果記憶部を有し、
上記電源装置は、上記判定結果記憶部が記憶した判定結果に基づいて、上記電解コンデンサが寿命である場合に、動作を停止することを特徴とする請求項１〜４のいずれかに記載の電源装置。
【請求項６】
上記制御電源回路は、上記電解コンデンサに充電されたエネルギーを用いて、上記制御電源を生成することを特徴とする請求項１〜５のいずれかに記載の電源装置。
【請求項７】
上記寿命判定部は、上記商算出部が商を算出する前に、上記寿命判定回路が動作不能になった場合に、上記電解コンデンサが寿命であると判定することを特徴とする請求項１〜６のいずれかに記載の電源装置。
【請求項８】
上記電源装置は、力率改善回路及び直流直流変換回路の少なくともいずれかを有し、
上記電解コンデンサは、上記力率改善回路または上記直流直流変換回路の一部であることを特徴とする請求項１〜７のいずれかに記載の電源装置。
【請求項９】
請求項１〜８のいずれかに記載の電源装置と、
上記電源装置が変換した直流電力の供給を受けて点灯する光源とを有することを特徴とする照明装置。
【請求項１０】
上記照明装置は、
上記電解コンデンサが寿命であると上記寿命判定部が判定した場合に、上記光源を点滅する寿命通知部を有することを特徴とする請求項９に記載の照明装置。
【発明の詳細な説明】
【技術分野】
【０００１】
この発明は、電解コンデンサを用いた電源装置およびそれを用いた照明装置に関する。
【背景技術】
【０００２】
電源装置の部品のうち、電解コンデンサは、最も寿命が短く、電解コンデンサの寿命が電源装置の寿命を決めるとされている。電解コンデンサは、経年劣化により静電容量が減少する。静電容量の減少によりリプル電流が多くなると、電解コンデンサ内部での発熱量が増加し、電解液が蒸発する。電解液の蒸発により電解コンデンサ内部の圧力が高まると、防爆弁が動作して、電解コンデンサが爆発するのを防ぐ。防爆弁が動作すると、電解コンデンサ内部の水蒸気（電解液）が外部に放出されるため、これを利用者が見ると、発火と誤認する場合がある。また、防爆弁が動作すると、電解コンデンサの容量が完全に抜けてしまうので、それ以降、電源装置を使い続けることができない。このため、電解コンデンサの防爆弁が動作する前に、電解コンデンサの寿命を判定し、利用者に電源装置の交換を促すことが必要である。
電解コンデンサの放電時定数を測定することにより、電解コンデンサの寿命を判定する技術がある。
【先行技術文献】
【特許文献】
【０００３】
【特許文献１】特開２０１０−６５６８号公報
【特許文献２】特開２００８−３０６８５０号公報
【発明の概要】
【発明が解決しようとする課題】
【０００４】
電源装置の動作中に電解コンデンサの放電時定数を測定するには、電解コンデンサを動作中の回路から切り離す必要があり、回路構成が複雑になる。
また、電源装置が動作を停止したのちに電解コンデンサの放電時定数を測定するには、測定回路が動作を続けている必要がある。照明装置においては、照明装置全体に対する給電を停止することにより、動作を停止させる（すなわち消灯する）構成とする場合がある。その場合、測定回路に対する給電も停止するため、電解コンデンサの放電時定数を測定することができない。
この発明は、例えば上記のような課題を解決するためになされたものであり、簡単な構成で、電解コンデンサの寿命を判定することを目的とする。
【課題を解決するための手段】
【０００５】
この発明にかかる電源装置は、交流電源から供給される交流電力を、直流電力に変換する電源装置において、電解コンデンサと、上記電解コンデンサの両端電圧を測定する電圧測定回路と、上記交流電源からの交流電力の供給が停止したのち、所定の時間が経過するまでの間、制御電源を生成する制御電源回路と、上記制御電源回路が生成した制御電源により動作し、上記電圧測定回路が測定した上記電解コンデンサの両端電圧に基づいて、上記電解コンデンサが寿命であるか否かを判定する寿命判定回路とを有し、上記寿命判定回路は、上記交流電源からの交流電力の供給が停止した場合に上記電圧測定回路が測定した上記電解コンデンサの両端電圧を記憶する電圧記憶部と、上記交流電源からの交流電力の供給が停止してから所定の時間が経過したのちに上記電圧測定回路が測定した上記電解コンデンサの両端電圧を、上記電圧記憶部が記憶した上記電解コンデンサの両端電圧で割った商を算出する商算出部と、上記商算出部が算出した商に基づいて、上記電解コンデンサが寿命であるか否かを判定する寿命判定部とを有することを特徴とする。
【発明の効果】
【０００６】
この発明にかかる電源装置によれば、制御電源回路が、交流電源からの交流電力の供給が停止したのち、所定の時間が経過するまでの間、制御電源を生成するので、簡単な構成で、電源装置の動作が停止したのちに、電解コンデンサの放電時定数を測定し、電解コンデンサの寿命を判定することができる。
【図面の簡単な説明】
【０００７】
【図１】実施の形態１における照明装置８００の全体構成を示すシステム構成図。
【図２】実施の形態１における照明装置８００の回路構成を示す回路図。
【図３】実施の形態１における制御装置１５０の構成を示すブロック構成図。
【図４】実施の形態１における点灯処理Ｓ５００の流れを示すフローチャート図。
【図５】実施の形態１における平滑コンデンサＣ３４の両端電圧を示す波形図。
【図６】実施の形態２における制御装置１５０の構成を示すブロック構成図。
【図７】実施の形態２における点灯処理Ｓ５００の流れを示すフローチャート図。
【図８】実施の形態３における制御装置１５０の構成を示すブロック構成図。
【図９】実施の形態３における点灯処理Ｓ５００の流れを示すフローチャート図。
【図１０】実施の形態４における照明装置８００の回路構成を示す回路図。
【図１１】実施の形態４における点灯処理Ｓ５００の流れを示すフローチャート図。
【発明を実施するための形態】
【０００８】
実施の形態１．
実施の形態１について、図１〜図５を用いて説明する。
【０００９】
図１は、この実施の形態における照明装置８００の全体構成を示すシステム構成図である。
照明装置８００は、商用電源などの交流電源ＡＣから電力の供給を受けて、ＬＥＤなどの光源を点灯する。照明装置８００は、電源装置１００と、光源回路８１０とを有する。
電源装置１００は、交流電源ＡＣから供給される交流電力を、光源回路８１０に供給する直流電力に変換する。電源装置１００は、交流直流変換回路１１０と、制御電源回路１２０と、電圧測定回路１３０と、電源検出回路１４０と、制御装置１５０とを有する。
交流直流変換回路１１０は、交流電力を直流電力に変換する。交流直流変換回路１１０は、電解コンデンサを使った回路である。電解コンデンサは、例えば平滑コンデンサとして使われている。
制御電源回路１２０は、交流電源ＡＣから供給される交流電力から、制御装置１５０や交流直流変換回路１１０を動作させるための直流電力（制御電源電力）を生成する。制御電源回路１２０は、ある程度のエネルギーを蓄積することができ、交流電源ＡＣからの電力供給が停止したあと所定の時間（例えば数秒）の間、制御装置１５０を動作させる制御電源電力を供給することができる。例えば、制御電源回路１２０は、静電容量の大きな平滑コンデンサを有する。例えば、制御電源回路１２０の平滑コンデンサの静電容量が１０００μＦ、制御電源電力の電圧が５Ｖ、制御装置１５０の動作電圧が３Ｖ〜５Ｖ、制御装置１５０の動作電流が１ｍＡであれば、交流電源ＡＣからの電力供給が停止したのち２秒間は、制御電源電力の電圧が３Ｖ以上を保っているので、その２秒間は、制御装置１５０が動作を続けることができる。なお、制御電源回路１２０の平滑コンデンサとして電解コンデンサを用いる場合、交流直流変換回路１１０の電解コンデンサよりも寿命が長いものを用いる。
電圧測定回路１３０は、交流直流変換回路１１０の電解コンデンサの両端電圧を測定する。電圧測定回路１３０は、測定した結果を表わす信号を生成し、生成した信号を出力する。
電源検出回路１４０（ＡＣ電源検出回路）は、交流電源ＡＣからの電力供給があるか否かを検出する。電源検出回路１４０は、検出した結果を表わす信号を生成し、生成した信号を出力する。
制御装置１５０（寿命判定回路）は、制御電源回路１２０が生成した制御電源電力により動作して、交流直流変換回路１１０の動作を制御する。制御装置１５０は、電圧測定回路１３０が測定した電圧や、電源検出回路１４０が検出した電力供給の有無などに基づいて、交流直流変換回路１１０を動作させ、あるいは、動作を停止させる。制御装置１５０は、制御内容を表わす制御信号を生成し、生成した信号を出力する。交流直流変換回路１１０は、制御装置１５０が生成した制御信号にしたがって、動作し、あるいは、動作を停止する。
【００１０】
図２は、この実施の形態における照明装置８００の回路構成を示す回路図である。
光源回路８１０（ＬＥＤモジュール）は、複数の光源８１１を有する。光源８１１は、例えばＬＥＤなどであり、直流電力により発光する。光源回路８１０は、例えば複数の光源８１１を直列に電気接続した回路である。
交流直流変換回路１１０は、全波整流回路１１１と、入力コンデンサＣ２１と、力率改善回路１１２と、直流直流変換回路１１５とを有する。全波整流回路１１１は、交流電源ＡＣから入力した交流電力を全波整流して、電圧波形が脈流の電力に変換する。全波整流回路１１１は、例えばダイオードブリッジＤＢを有する。ダイオードブリッジＤＢは、４つの整流素子をブリッジ接続した回路である。入力コンデンサＣ２１は、全波整流回路１１１の出力に並列に電気接続したコンデンサであり、力率改善回路１１２で発生する高周波電流を吸収して、交流電源ＡＣ側に漏れないようにする。入力コンデンサＣ２１は、静電容量が比較的小さく、例えばフィルムコンデンサである。
力率改善回路１１２は、交流直流変換回路１１０が入力する電力の力率を改善して１に近づける。また、力率改善回路１１２は、入力した電力を、所定の電圧の直流電力に変換する。力率改善回路１１２は、例えばブーストコンバータ回路であり、チョークコイルＬ３１と、スイッチング素子Ｑ３２と、整流素子Ｄ３３と、平滑コンデンサＣ３４と、２つの分圧抵抗Ｒ４１，Ｒ４２と、帰還回路１１４と、制御回路１１３とを有する。チョークコイルＬ３１と、スイッチング素子Ｑ３２とは、全波整流回路１１１の出力に対して、直列に電気接続している。整流素子Ｄ３３と、平滑コンデンサＣ３４とは、互いに直列に電気接続し、スイッチング素子Ｑ３２に並列に電気接続している。２つの分圧抵抗Ｒ４１，Ｒ４２は、互いに直列に電気接続し、平滑コンデンサＣ３４に並列に電気接続している。平滑コンデンサＣ３４は、電解コンデンサである。平滑コンデンサＣ３４の両端は、力率改善回路１１２の出力として、直流直流変換回路１１５の入力に電気接続している。帰還回路１１４（フィードバック部）は、分圧抵抗Ｒ４２の両端電圧を入力し、帰還信号を生成する。制御回路１１３は、制御電源回路１２０が生成した制御電源電力により動作し、帰還回路１１４が生成した帰還信号や、制御装置１５０が生成した制御信号に基づいて、スイッチング素子Ｑ３２をオンオフする駆動信号を生成する。なお、分圧抵抗Ｒ４２の両端電圧を帰還信号として制御回路１１３が直接入力し、帰還回路１１４がない構成であってもよい。
チョークコイルＬ３１は、力率改善回路１１２が入力する電流を制限する。制御回路１１３は、スイッチング素子Ｑ３２を高周波（例えば数百ｋＨｚ）でオンオフすることにより、力率改善回路１１２が入力する電流を調整し、入力コンデンサＣ２１が高周波成分を取り除いた入力電流波形が、全波整流回路１１１が全波整流した電圧波形と近似した波形になるようにする。２つの分圧抵抗Ｒ４１，Ｒ４２は、平滑コンデンサＣ３４の両端電圧を分圧する。帰還回路１１４は、分圧抵抗Ｒ４２の両端電圧が所定の電圧より高いか低いかを表わす帰還信号を生成する。制御回路１１３は、帰還回路１１４が生成した帰還信号に基づいて、平滑コンデンサＣ３４の両端電圧が所定の電圧（例えば４００Ｖ）になるよう制御する。平滑コンデンサＣ３４の両端電圧が所定の電圧より高い場合、制御回路１１３は、例えばスイッチング素子Ｑ３２をオンオフする周波数を上げたりスイッチング素子Ｑ３２のオンデューティを小さくしたりして、力率改善回路１１２が入力する電流を減らす。これにより、平滑コンデンサＣ３４を充電する電流が減るので、平滑コンデンサＣ３４の両端電圧が低くなる。逆に、平滑コンデンサＣ３４の両端電圧が所定の電圧より低い場合、制御回路１１３は、例えばスイッチング素子Ｑ３２をオンオフする周波数を下げたりスイッチング素子Ｑ３２のオンデューティを大きくしたりして、力率改善回路１１２が入力する電流を増やす。これにより、平滑コンデンサＣ３４を充電する電流が増えるので、平滑コンデンサＣ３４の両端電圧が高くなる。このようにして、制御回路１１３は、平滑コンデンサＣ３４の両端電圧を所定の電圧に近づける。
【００１１】
直流直流変換回路１１５は、力率改善回路１１２が生成した直流電力から、光源回路８１０に供給する直流電力を生成する。直流直流変換回路１１５は、光源回路８１０を流れる電流が所定の電流になるよう、生成する直流電力の電圧値を調整する。直流直流変換回路１１５は、例えばバックコンバータ回路であり、スイッチング素子Ｑ５１と、整流素子Ｄ５２と、チョークコイルＬ５３と、平滑コンデンサＣ５４と、電流検出抵抗Ｒ６１と、帰還回路１１７と、制御回路１１６とを有する。スイッチング素子Ｑ５１と、整流素子Ｄ５２とは、力率改善回路１１２の出力に対して、直列に電気接続している。チョークコイルＬ５３と、平滑コンデンサＣ５４と、電流検出抵抗Ｒ６１とは、互いに直列に電気接続し、整流素子Ｄ５２に並列に電気接続している。平滑コンデンサＣ５４は、電解コンデンサである。平滑コンデンサＣ５４の両端は、直流直流変換回路１１５の出力として、光源回路８１０に電気接続している。帰還回路１１７（フィードバック部）は、電流検出抵抗Ｒ６１の両端電圧を入力し、帰還信号を生成する。制御回路１１６は、制御電源回路１２０が生成した制御電源電力により動作し、帰還回路１１７が生成した帰還信号や、制御装置１５０が生成した制御信号に基づいて、スイッチング素子Ｑ５１をオンオフする駆動信号を生成する。なお、電流検出抵抗Ｒ６１の両端電圧を帰還信号として制御回路１１６が直接入力し、帰還回路１１７がない構成であってもよい。
チョークコイルＬ５３は、平滑コンデンサＣ５４を充電する電流を制限する。制御回路１１６は、スイッチング素子Ｑ５１を高周波でオンオフすることにより、直流直流変換回路１１５が入力する電流を調整する。整流素子Ｄ５２には、スイッチング素子Ｑ５１がオフのときの還流電流が流れる。帰還回路１１７は、電流検出抵抗Ｒ６１の両端電圧を平滑化し、平滑化した電圧が所定の電圧より高いか低いかを表わす帰還信号を生成する。制御回路１１６は、帰還回路１１７が生成した帰還信号に基づいて、光源回路８１０を流れる電流が所定の電流になるよう制御する。光源回路８１０を流れる電流が所定の電流より多い場合、制御回路１１６は、例えばスイッチング素子Ｑ５１をオンオフする周波数を上げたりスイッチング素子Ｑ５１のオンデューティを小さくしたりして、直流直流変換回路１１５が入力する電流を減らす。これにより、平滑コンデンサＣ５４を充電する電流が減るので、平滑コンデンサＣ５４の両端電圧が低くなる。逆に、光源回路８１０を流れる電流が所定の電流より少ない場合、制御回路１１６は、例えばスイッチング素子Ｑ５１をオンオフする周波数を下げたりスイッチング素子Ｑ５１のオンデューティを大きくしたりして、直流直流変換回路１１５が入力する電流を増やす。これにより、平滑コンデンサＣ５４を充電する電流が増えるので、平滑コンデンサＣ５４の両端電圧が高くなる。このようにして、制御回路１１６は、光源回路８１０を流れる電流を所定の電流に近づける。
【００１２】
電圧測定回路１３０は、２つの電圧測定回路１３０ａ，１３０ｂを有する。電圧測定回路１３０ａは、平滑コンデンサＣ３４の両端電圧を測定する。力率改善回路１１２において、分圧抵抗Ｒ４１，Ｒ４２が、平滑コンデンサＣ３４の両端電圧を測定する役割を持っているので、力率改善回路１１２の分圧抵抗Ｒ４１，Ｒ４２を、電圧測定回路１３０ａとして用いる。電圧測定回路１３０ａは、平滑コンデンサＣ３４の両端電圧を測定した結果として、分圧抵抗Ｒ４２の両端電圧を出力する。２つの分圧抵抗Ｒ４１，Ｒ４２で平滑コンデンサＣ３４の両端電圧を分圧しているので、分圧抵抗Ｒ４２の両端電圧は、平滑コンデンサＣ３４の両端電圧に比例する。
電圧測定回路１３０ｂは、平滑コンデンサＣ５４の両端電圧を測定する。電圧測定回路１３０ｂは、例えば２つの分圧抵抗Ｒ７１，Ｒ７２を有する。２つの分圧抵抗Ｒ７１，Ｒ７２は、互いに直列に電気接続し、平滑コンデンサＣ５４及び電流検出抵抗Ｒ６１と並列に電気接続している。電圧測定回路１３０ｂは、平滑コンデンサＣ５４の両端電圧を測定した結果として、分圧抵抗Ｒ７２の両端電圧を出力する。２つの分圧抵抗Ｒ７１，Ｒ７２で平滑コンデンサＣ５４の両端電圧と電流検出抵抗Ｒ６１の両端電圧との合計電圧を分圧する。制御回路１１６が動作を停止しているとき、平滑コンデンサＣ５４を充電する電流が流れないので、電流検出抵抗Ｒ６１の両端電圧は０になる。このため、分圧抵抗Ｒ７２の両端電圧は、平滑コンデンサＣ５４の両端電圧に比例する。
【００１３】
図３は、この実施の形態における制御装置１５０の構成を示すブロック構成図である。
制御装置１５０は、例えばマイコンである。マイコンは、図示していない記憶装置、処理装置、入力装置、出力装置などを有する。記憶装置は、例えば不揮発性メモリや揮発性メモリであり、処理装置が実行するプログラムや、処理装置が処理するデータなどを記憶する。処理装置は、記憶装置が記憶したプログラムを実行することにより、データを処理し、マイコン全体を制御する。入力装置は、例えばアナログデジタル変換回路であり、マイコンの外部から信号を入力して、処理装置が処理できるデータに変換する。出力装置は、例えばデジタルアナログ変換回路であり、処理装置が処理したデータや記憶装置が記憶したデータを、信号に変換して、マイコンの外部に出力する。記憶装置が記憶したプログラムを処理装置が実行することにより、以下に説明する機能ブロックを実現する。なお、制御装置１５０は、マイコンではなく、他の集積回路や、デジタル回路・アナログ回路などの電子回路などによって以下の機能ブロックを実現する構成であってもよい。
【００１４】
制御装置１５０は、給電判定部１５１と、計時部１５２と、電圧入力部１５３と、電圧記憶部１５４と、商算出部１５５と、寿命判定部１５７と、判定結果記憶部１５８と、寿命通知部１５９とを有する。給電判定部１５１は、電源検出回路１４０が生成した信号を入力し、入力した信号に基づいて、交流電源ＡＣからの電力供給の有無を判定する。計時部１５２は、給電判定部１５１の判定結果に基づいて、交流電源ＡＣからの電力供給が停止してからの経過時間を計測する。電圧入力部１５３は、２つの電圧測定回路１３０ａ，１３０ｂが生成した信号を入力し、入力した信号に基づいて、２つの平滑コンデンサＣ３４，Ｃ５４それぞれの両端電圧を取得する。電圧入力部１５３は、給電判定部１５１の判定結果に基づいて、交流電源ＡＣからの電力供給が停止したとき、１回目の電圧取得を実施する。また、電圧入力部１５３は、計時部１５２の計測結果に基づいて、交流電源ＡＣからの電力供給が停止してから所定の時間（例えば１秒）が経過した時点において、２回目の電圧取得を実施する。電圧記憶部１５４は、電圧入力部１５３が１回目に取得した２つの平滑コンデンサＣ３４，Ｃ５４それぞれの両端電圧を記憶する。商算出部１５５は、電圧入力部１５３が２回目に取得した平滑コンデンサＣ３４の両端電圧を、電圧記憶部１５４が記憶した電圧入力部１５３が１回目に取得した平滑コンデンサＣ３４の両端電圧で割った商を算出する。平滑コンデンサＣ５４についても同様に、商算出部１５５は、電圧入力部１５３が２回目に取得した平滑コンデンサＣ５４の両端電圧を、電圧記憶部１５４が記憶した電圧入力部１５３が１回目に取得した平滑コンデンサＣ５４の両端電圧で割った商を算出する。寿命判定部１５７は、商算出部１５５が算出した商に基づいて、２つの平滑コンデンサＣ３４，Ｃ５４それぞれが寿命であるか否かを判定する。寿命判定部１５７は、商算出部１５５が平滑コンデンサＣ３４について算出した商を所定の閾値と比較して、商が閾値より小さければ平滑コンデンサＣ３４が寿命であると判定する。平滑コンデンサＣ５４についても同様に、商算出部１５５が平滑コンデンサＣ５４について算出した商を所定の閾値と比較して、商が閾値より小さければ平滑コンデンサＣ５４が寿命であると判定する。判定結果記憶部１５８は、寿命判定部１５７が判定した判定結果を記憶する。寿命通知部１５９は、判定結果記憶部１５８が記憶した判定結果に基づいて、２つの平滑コンデンサＣ３４，Ｃ５４のいずれかが寿命である場合に、そのことを利用者に通知する。例えば、寿命通知部１５９は、２つの制御回路１１３，１１６の動作を停止させる制御信号を生成し、光源８１１が点灯しないようにする。これにより、照明装置８００の交換を利用者に促すことができる。あるいは、寿命通知部１５９は、制御回路１１３を動作させ、制御回路１１６を数秒間隔で動作・停止を繰り返させる制御信号を生成し、光源８１１を点滅させる。光源８１１を所定の時間点滅させた後、寿命通知部１５９は、２つの制御回路１１３，１１６を動作させる制御信号を生成し、光源８１１を点灯させる。これにより、照明装置８００を交換するまでの間、照明装置８００を使い続けることができる。また、利用者が照明装置８００を交換せずにそのまま使い続けている場合には、光源８１１を点滅させる時間を少しずつ長くする構成であってもよい。あるいは、寿命通知部１５９は、表示装置を用いて異常を通知するメッセージを表示したり、音声出力装置を用いて異常を通知する音声を出力したりする構成であってもよい。
【００１５】
なお、寿命通知部１５９は、２つの平滑コンデンサＣ３４，Ｃ５４のいずれかが寿命であると寿命判定部１５７が所定の回数連続して判定した場合に、寿命を通知する構成であってもよい。すなわち、１回の電源切断時の寿命判定だけでは誤判定の可能性があるので、複数回の電源切断時の寿命判定において、寿命であると寿命判定部１５７が繰り返し判定した場合に、寿命を通知する。例えば、判定結果記憶部１５８は、２つの平滑コンデンサＣ３４，Ｃ５４のいずれかが寿命であると寿命判定部１５７が判定した回数を記憶する。寿命判定部１５７は、寿命であると判定した場合、判定結果記憶部１５８が記憶した回数を１増やし、寿命でないと判定した場合、判定結果記憶部１５８が記憶した回数を０にする。寿命通知部１５９は、判定結果記憶部１５８が記憶した回数が所定の回数より多い場合に、寿命を通知する。
【００１６】
図４は、この実施の形態における点灯処理Ｓ５００の流れを示すフローチャート図である。
点灯処理Ｓ５００において、照明装置８００は、光源８１１を点灯する。点灯処理Ｓ５００は、寿命記憶判定工程Ｓ５１１と、寿命通知工程Ｓ５１２と、点灯工程Ｓ５２１と、給電判定工程Ｓ５２３と、電圧記憶工程Ｓ５３３と、待ち工程Ｓ５３４と、商算出工程Ｓ５３５と、寿命判定工程Ｓ５３６とを有する。交流電源ＡＣからの電力供給が開始されると、制御装置１５０は、寿命記憶判定工程Ｓ５１１から処理を開始する。
寿命記憶判定工程Ｓ５１１において、寿命通知部１５９は、判定結果記憶部１５８が記憶した判定結果に基づいて、２つの平滑コンデンサＣ３４，Ｃ５４のいずれかが寿命であるか、２つの平滑コンデンサＣ３４，Ｃ５４のいずれも寿命でないかを判定する。寿命であると判定した場合、寿命通知部１５９は、寿命通知工程Ｓ５１２へ処理を進める。寿命でないと判定した場合、寿命通知部１５９は、点灯工程Ｓ５２１へ処理を進める。
寿命通知工程Ｓ５１２において、寿命通知部１５９は、寿命であると判定したことを利用者に通知する。その後、寿命通知部１５９は、点灯処理Ｓ５００を終了する。
点灯工程Ｓ５２１において、制御装置１５０は、２つの制御回路１１３，１１６を動作させる制御信号を生成する。これにより、２つの制御回路１１３，１１６が動作を開始し、光源回路８１０に電力が供給されて、光源８１１が点灯する。
給電判定工程Ｓ５２３において、給電判定部１５１は、電源検出回路１４０が生成した信号に基づいて、交流電源ＡＣからの電力供給が継続しているか停止したかを判定する。交流電源ＡＣからの電力供給がある場合、制御装置１５０は、点灯工程Ｓ５２１に戻る。交流電源ＡＣからの電力供給がなくなった場合、制御装置１５０は、電圧記憶工程Ｓ５３３へ処理を進める。
電圧記憶工程Ｓ５３３において、制御装置１５０は、２つの制御回路１１３，１１６の動作を停止させる制御信号を生成する。計時部１５２は、交流電源ＡＣからの電力供給が停止してからの経過時間の測定を開始する。電圧入力部１５３は、電圧測定回路１３０ａが生成した信号に基づいて、平滑コンデンサＣ３４の両端電圧を取得する。また、電圧入力部１５３は、電圧測定回路１３０ｂが生成した信号に基づいて、平滑コンデンサＣ５４の両端電圧を取得する。電圧記憶部１５４は、電圧入力部１５３が取得した平滑コンデンサＣ３４の両端電圧と平滑コンデンサＣ５４の両端電圧とを記憶する。
待ち工程Ｓ５３４において、計時部１５２は、交流電源ＡＣからの電力供給が停止してからの経過時間の測定を続ける。交流電源ＡＣからの電力供給が停止してからの経過時間が所定の時間に達した場合、電圧入力部１５３は、商算出工程Ｓ５３５へ処理を進める。なお、交流電源ＡＣからの電力供給が停止してからの経過時間が所定の時間に達する前に、交流電源ＡＣからの電力供給が再開した場合、給電判定部１５１は、点灯工程Ｓ５２１に処理を戻す。
商算出工程Ｓ５３５において、電圧入力部１５３は、電圧測定回路１３０ａが生成した信号に基づいて、平滑コンデンサＣ３４の両端電圧を取得する。また、電圧入力部１５３は、電圧測定回路１３０ｂが生成した信号に基づいて、平滑コンデンサＣ５４の両端電圧を取得する。商算出部１５５は、平滑コンデンサＣ３４について、電圧入力部１５３が取得した両端電圧を、電圧記憶部１５４が記憶した両端電圧で割った商を算出する。また、商算出部１５５は、平滑コンデンサＣ５４についても、電圧入力部１５３が取得した両端電圧を、電圧記憶部１５４が記憶した両端電圧で割った商を算出する。寿命判定部１５７は、平滑コンデンサＣ３４について、商算出部１５５が算出した商を所定の閾値と比較して、商が閾値より小さい場合に、平滑コンデンサＣ３４が寿命であると判定する。また、寿命判定部１５７は、平滑コンデンサＣ５４についても、商算出部１５５が算出した商を所定の閾値と比較して、商が閾値より小さい場合に、平滑コンデンサＣ５４が寿命であると判定する。判定結果記憶部１５８は、寿命判定部１５７の判定結果を記憶する。制御装置１５０は、点灯処理Ｓ５００を終了する。
【００１７】
図５は、この実施の形態における平滑コンデンサＣ３４の両端電圧を示す波形図である。
実線で示した電圧６２１および破線で示した電圧６２２は、ともに、平滑コンデンサＣ３４の両端電圧を表わす。電圧６２１は平滑コンデンサが新品である場合、電圧６２２は平滑コンデンサが経年劣化して静電容量が小さくなった場合である。
時刻６１１において、交流電源ＡＣからの電力供給が停止する。これを給電判定部１５１が判定して、時刻６１２において、電圧測定回路１３０ａが生成した信号に基づいて、電圧入力部１５３が平滑コンデンサＣ３４の両端電圧を取得する。平滑コンデンサＣ３４の両端電圧は、自然放電によって少しずつ低くなる。時刻６１２から所定の時間が経過した時刻６１３において、電圧測定回路１３０ａが生成した信号に基づいて、電圧入力部１５３が平滑コンデンサＣ３４の両端電圧を取得する。商算出部１５５は、時刻６１３において取得した両端電圧を、時刻６１２において取得した両端電圧で割った商を算出する。
このように、照明装置８００は、電源切断時における電解コンデンサの自然放電による電圧低下の割合を測定する。経年劣化などにより電解コンデンサの静電容量が小さくなると、自然放電による電圧低下率が大きくなる。このため、商算出部１５５が算出する商の値が小さくなる。寿命判定部１５７は、商算出部１５５が算出した商の値が、あらかじめ定めた閾値より小さくなった場合に、電解コンデンサが寿命であると判定する。
【００１８】
照明装置８００に対する電力供給が停止したあとに寿命判定をするため、制御装置１５０は、電力供給停止後、数秒程度動作し続ける必要がある。このため、制御電源回路１２０は、制御装置１５０を数秒程度動作させ続けることができる程度の電気エネルギーを蓄積する。電力供給停止後すぐに制御回路１１３，１１６の動作を停止させるので、その後、制御電源回路１２０が蓄積した電気エネルギーを消費するのは、制御装置１５０だけになる。なお、電解コンデンサを自然放電させるのではなく、放電回路を用いて、強制放電させる構成としてもよい。放電回路は、電源検出回路１４０の検出結果に基づいて、交流電源ＡＣからの電力供給が停止した場合に、電解コンデンサを放電する。そうすれば、２回目の電圧測定をするまでの待ち時間を短くすることができるので、制御電源回路１２０が蓄積すべき電気エネルギーの量を減らすことができる。
また、２つの平滑コンデンサＣ３４，Ｃ５４の両端電圧を測定するのではなく、いずれか一方（例えば平滑コンデンサＣ３４）の両端電圧だけを測定する構成としてもよい。その場合、両端電圧を測定しない平滑コンデンサは、両端電圧を測定する平滑コンデンサよりも寿命が長いものを用いる。そうすれば、両端電圧を測定する平滑コンデンサのほうが、両端電圧を測定しない平滑コンデンサよりも早く寿命を迎えるので、両端電圧を測定する平滑コンデンサの静電容量だけを監視すればよい。
なお、この例における交流直流変換回路１１０は、力率改善回路１１２と、直流直流変換回路１１５との二段構成であり、電解コンデンサが２つある。交流直流変換回路１１０は、電解コンデンサが１つしかない一段構成であってもよいし、電解コンデンサが３つ以上ある構成であってもよい。電解コンデンサが３つ以上ある構成の場合、すべての電解コンデンサの両端電圧を測定する構成であってもよいし、最も寿命が短いと予想される１つあるいは少数の電解コンデンサの両端電圧を測定し、それ以外は測定しない構成であってもよい。
また、電圧入力部１５３は、電解コンデンサの両端電圧を２回測定するだけでなく、３回以上測定する構成であってもよい。測定間隔が同じであれば、各回の測定電圧に対する次の回の測定電圧の比は、同じになるはずである。例えば、商算出部１５５は、２回目以降の測定電圧を、前の回の測定電圧で割った商をそれぞれ算出し、算出した商の平均値を算出する。これにより、電解コンデンサの寿命判定の精度を高めることができる。
なお、１回目の電圧測定は、交流電源ＡＣからの電力供給が停止した直後でなくてもよく、例えば、電圧入力部１５３は、交流電源ＡＣからの電力供給がある間に、あらかじめ測定しておく構成であってもよいし、電圧入力部１５３は、交流電源ＡＣからの電力供給が停止したのち、所定の時間が経過したのちに１回目の電圧測定をする構成であってもよい。
【００１９】
実施の形態２．
実施の形態２について、図６〜図７を用いて説明する。
なお、実施の形態１と共通する部分については、同一の符号を付し、説明を省略する。
【００２０】
図６は、この実施の形態における制御装置１５０の構成を示すブロック構成図である。
制御装置１５０は、実施の形態１で説明した機能ブロックに加えて、閾値記憶部１５６を有する。閾値記憶部１５６（閾値算出部）は、商算出部１５５が算出した商に基づいて、電解コンデンサが寿命であるか否かを判定する閾値を算出し、算出した閾値を記憶する。例えば、閾値記憶部１５６は、照明装置８００の使用開始時において商算出部１５５が最初に算出した商に、所定の係数（例えば０．８）を乗じた積を算出して、閾値として記憶する。寿命判定部１５７は、商算出部１５５が算出した商が、閾値記憶部１５６が記憶した閾値より小さい場合に、電解コンデンサが寿命であると判定する。
【００２１】
実施の形態１では、電解コンデンサの電圧低下率を、あらかじめ定めた閾値と比較することで、電解コンデンサの容量低下（すなわち寿命）を判定する。しかし、電解コンデンサの自然放電量（もしくは強制放電量）にはバラツキがある可能性がある。この実施の形態では、最初に、電解コンデンサの自然放電量（もしくは強制放電量）を測定し、それに基づいて閾値を定める。これにより、寿命判定の精度が高くなる。
【００２２】
図７は、この実施の形態における点灯処理Ｓ５００の流れを示すフローチャート図である。
点灯処理Ｓ５００は、実施の形態１で説明した工程に加えて、閾値記憶工程Ｓ５３７を有する。
商算出工程Ｓ５３５において、閾値記憶部１５６が閾値を既に記憶済である場合、制御装置１５０は、寿命判定工程Ｓ５３６へ処理を進める。閾値記憶部１５６がまだ閾値を記憶していない場合、制御装置１５０は、閾値記憶工程Ｓ５３７へ処理を進める。
閾値記憶工程Ｓ５３７において、閾値記憶部１５６は、商算出工程Ｓ５３５で商算出部１５５が算出した商に所定の係数を乗じた積を算出する。閾値記憶部１５６は、算出した積を閾値として記憶する。制御装置１５０は、点灯処理Ｓ５００を終了する。
【００２３】
なお、閾値記憶部１５６は、照明装置８００の使用開始後最初の電源切断時に、商算出部１５５が算出した商に基づいて閾値を算出するのではなく、照明装置８００の使用開始後最初の複数回の電源切断時にわたって、商算出部１５５が各電源切断時に１つずつ算出した複数の商に基づいて閾値を算出する構成であってもよい。例えば、閾値記憶部１５６は、商算出部１５５が最初の複数回にわたって算出した商の平均値を算出し、算出した平均値に所定の係数を乗じた積を算出し、算出した積を閾値として記憶する。例えば、閾値記憶部１５６は、商算出部１５５が商を算出した回数（初期値０）と、商算出部１５５が算出した商の合計値（初期値０）とを記憶する。閾値記憶部１５６は、記憶した回数が所定の回数未満である場合、記憶した合計値に商算出部１５５が算出した商を加え、記憶した回数に１を加える。すなわち、閾値記憶部１５６は、照明装置８００の使用開始後、電源が切断された回数を数える。閾値記憶部１５６は、記憶した回数が所定の回数に達した場合、記憶した合計値を、記憶した回数で割った商（すなわち平均値）を算出し、算出した平均値に所定の係数を乗じた積を算出して、閾値として記憶する。複数回の測定結果に基づいて閾値を算出するので、測定誤差の影響が小さくなり、寿命判定の精度が高くなる。
【００２４】
実施の形態３．
実施の形態３について、図８〜図９を用いて説明する。
なお、実施の形態１〜実施の形態２と共通する部分については、同一の符号を付し、説明を省略する。
【００２５】
図８は、この実施の形態における制御装置１５０の構成を示すブロック構成図である。
制御装置１５０は、実施の形態２で説明した構成に加えて、累積時間記憶部１６１を有する。計時部１５２は、給電判定部１５１の判定結果に基づいて、交流電源ＡＣからの電力供給が停止したのち、交流電源ＡＣからの電力供給が停止してから経過時間を測定するだけでなく、交流電源ＡＣからの電力供給が継続している間、交流電源ＡＣからの電力供給が開始してからの経過時間を測定する。累積時間記憶部１６１は、計時部１５２が測定した経過時間に基づいて、照明装置８００が交流電源ＡＣからの電力供給を受けた累積時間を算出し、算出した累積時間を記憶する。
閾値記憶部１５６は、累積時間記憶部１６１が記憶した累積時間が所定の時間（初期時間）より短い場合、商算出部１５５がそれまでに算出した商（第１の商）の平均値に基づいて、閾値を算出し、記憶する。このように、累積時間が初期時間より短い場合に商算出部１５５が算出した商を第１の商とする。閾値記憶部１５６は、あらかじめ、商算出部１５５が商（第１の商）を算出した回数（初期値０）と、商算出部１５５が算出した商（第１の商）の合計値（初期値０）とを記憶しておき、記憶した合計値と回数とに基づいて、商算出部１５５が算出した商（第１の商）の平均値を算出する。閾値記憶部１５６が累積時間と比較する初期時間は、電解コンデンサがまだ経年劣化していないことが確実な時間であり、例えば電解コンデンサの予測平均寿命が４万時間であれば、例えば１０００時間程度に設定する。
寿命判定部１５７は、累積時間記憶部１６１が記憶した累積時間が所定の時間（末期時間）より長い場合、商算出部１５５が算出した商（第２の商）を、閾値記憶部１５６が記憶した閾値と比較して、電解コンデンサが寿命か否かを判定する。このように、累積時間が末期時間より長い場合に商算出部１５５が算出した商を第２の商とする。寿命判定部１５７が累積時間と比較する末期時間は、電解コンデンサが経年劣化により寿命を迎える可能性が出てくる時間であり、例えば電解コンデンサの予測平均寿命が４万時間であれば、例えば２万時間程度に設定する。
【００２６】
図９は、この実施の形態における点灯処理Ｓ５００の流れを示すフローチャート図である。
点灯処理Ｓ５００は、実施の形態２で説明した工程に加えて、通電時間累積工程Ｓ５２２と、累積時間判定工程Ｓ５３１とを有する。
点灯工程Ｓ５２１において、計時部１５２は、交流電源ＡＣからの電力供給が開始してから所定の時間（例えば１時間）が経過するたびに、通電時間累積工程Ｓ５２２へ処理を進める。それ以外の場合、計時部１５２は、給電判定工程Ｓ５２３へ処理を進める。
通電時間累積工程Ｓ５２２において、累積時間記憶部１６１は、記憶した累積時間に１を加え、更新した累積時間を記憶する。制御装置１５０は、給電判定工程Ｓ５２３へ処理を進める。
給電判定工程Ｓ５２３において、交流電源ＡＣからの電力供給が停止した場合、制御装置１５０は、累積時間判定工程Ｓ５３１へ処理を進める。
累積時間判定工程Ｓ５３１において、閾値記憶部１５６（累積時間判定部の一例）は、累積時間記憶部１６１が記憶した累積時間を所定の初期時間と比較する。累積時間が初期時間より短い場合、制御装置１５０は、電圧記憶工程Ｓ５３３へ処理を進める。累積時間が初期時間より長い場合、寿命判定部１５７（累積時間判定部の一例）は、累積時間記憶部１６１が記憶した累積時間を所定の末期時間と比較する。累積時間が末期時間より長い場合、制御装置１５０は、電圧記憶工程Ｓ５３３へ処理を進める。累積時間が末期時間より短い場合、制御装置１５０は、点灯処理Ｓ５００を終了する。
商算出工程Ｓ５３５において、累積時間記憶部１６１が記憶した累積時間が初期時間より短い場合、制御装置１５０は、閾値記憶工程Ｓ５３７へ処理を進める。累積時間が末期時間より長い場合、制御装置１５０は、寿命判定工程Ｓ５３６へ処理を進める。
閾値記憶工程Ｓ５３７において、閾値記憶部１５６は、記憶した合計値に、商算出工程Ｓ５３５で商算出部１５５が算出した商（第１の商）を加え、更新した合計値を記憶する。閾値記憶部１５６は、記憶した回数に１を加え、更新した回数を記憶する。閾値記憶部１５６は、記憶した合計値を、記憶した回数で割った商を算出して平均値を求め、求めた平均値に所定の係数を乗じた積を算出して、算出した積を閾値として記憶する。
【００２７】
このように、照明装置８００の通電累積時間が所定の末期時間より短い場合は、寿命判定をしないことにより、照明装置８００の消費電力を抑えることができる。また、照明装置８００の通電累積時間が所定の初期時間より短い間に商算出部１５５が算出した商の平均値に基づいて寿命判定の閾値を算出するので、寿命判定の精度を高めることができる。
【００２８】
なお、累積時間記憶部１６１は、通電時間を累積した時間ではなく、照明装置８００の製造後の経過時間を測定し、記憶する構成であってもよい。電解コンデンサは、通電していなくても経年劣化する場合があるからである。その場合、累積時間記憶部１６１は、リチウム電池などの電源を独自に有し、その電源によって動作する時計により、製造後の経過時間を測定する。
【００２９】
実施の形態４．
実施の形態４について、図１０〜図１１を用いて説明する。
なお、実施の形態１〜実施の形態３と共通する部分については、同一の符号を付し、説明を省略する。
【００３０】
図１０は、この実施の形態における照明装置８００の回路構成を示す回路図である。
制御電源回路１２０は、全波整流回路１１１の出力ではなく、力率改善回路１１２の出力から電力を取得して、制御電源電力を生成する。これにより、交流電源ＡＣからの電力供給が停止したあとも、平滑コンデンサＣ３４に蓄積された電気エネルギーから制御電源電力を生成することができるので、制御電源回路１２０に電気エネルギーを蓄積する必要がない。このため、制御電源回路１２０には、静電容量が比較的小さい平滑コンデンサを用いることができる。制御電源回路１２０の平滑コンデンサとして、電解コンデンサではなく、セラミックコンデンサなど他の種類のコンデンサを使うことにより、電解コンデンサである平滑コンデンサＣ３４や平滑コンデンサＣ５４よりも確実に寿命が長くなる。
また、制御電源回路１２０が、平滑コンデンサＣ３４を放電する放電回路の役割を果たすので、電圧入力部１５３が２回目の電圧測定をするまでの待ち時間を短くすることができる。また、平滑コンデンサＣ３４を単に放電して平滑コンデンサＣ３４に蓄積された電気エネルギーを無駄にするのではなく、制御装置１５０の動作に利用するので、照明装置８００が消費する電力を抑えることができる。
【００３１】
図１１は、この実施の形態における点灯処理Ｓ５００の流れを示すフローチャート図である。
点灯処理Ｓ５００は、実施の形態３で説明した工程に加えて、寿命記憶工程Ｓ５３２を有する。
累積時間判定工程Ｓ５３１において、累積時間記憶部１６１が記憶した累積時間が所定の末期時間より長い場合、制御装置１５０は、寿命記憶工程Ｓ５３２へ処理を進める。累積時間が所定の初期時間より短い場合、制御装置１５０は、電圧記憶工程Ｓ５３３へ処理を進める。
寿命記憶工程Ｓ５３２において、判定結果記憶部１５８は、仮に、電解コンデンサが寿命であると寿命判定部１５７が判定したものと仮定して、判定結果を記憶する。
寿命判定工程Ｓ５３６において、判定結果記憶部１５８は、寿命判定部１５７による正式な判定結果を記憶する。
【００３２】
この実施の形態における照明装置８００は、交流電源ＡＣからの電力供給が停止したのち、平滑コンデンサＣ３４に蓄積された電気エネルギーから、制御電源回路１２０が制御電源電力を生成する。経年劣化により平滑コンデンサＣ３４の静電容量が小さくなった場合、平滑コンデンサＣ３４に蓄積された電気エネルギーの量が減るので、２回目の電圧測定をするまでの待ち時間が経過する前に、制御装置１５０が動作を継続できなくなる可能性がある。しかし、その場合は、平滑コンデンサＣ３４の静電容量が小さくなったことが原因であるから、寿命判定部１５７による判定を待たずとも、平滑コンデンサＣ３４が寿命であると判断できる。
寿命判定工程Ｓ５３６まで到達することなく、待ち工程Ｓ５３４の実行中に制御装置１５０が動作を停止した場合、判定結果記憶部１５８は、寿命記憶工程Ｓ５３２で記憶した内容を保持している。すなわち、判定結果記憶部１５８は、電解コンデンサが寿命であるという判定結果を記憶している。
【００３３】
このように、制御装置１５０が動作を所定の時間継続できなくなった場合にも、平滑コンデンサＣ３４が寿命であると判定するので、平滑コンデンサＣ３４の寿命を正しく判定することができる。
【符号の説明】
【００３４】
１００  電源装置、１１０  交流直流変換回路、１１１  全波整流回路、１１２  力率改善回路、１１３，１１６  制御回路、１１４，１１７  帰還回路、１１５  直流直流変換回路、１２０  制御電源回路、１３０  電圧測定回路、１４０  電源検出回路、１５０  制御装置、１５１  給電判定部、１５２  計時部、１５３  電圧入力部、１５４  電圧記憶部、１５５  商算出部、１５６  閾値記憶部、１５７  寿命判定部、１５８  判定結果記憶部、１５９  寿命通知部、１６１  累積時間記憶部、６１１〜６１３  時刻、６２１，６２２  電圧、８００  照明装置、８１０  光源回路、８１１  光源、ＡＣ  交流電源、Ｃ２１  入力コンデンサ、Ｄ３３，Ｄ５２  整流素子、Ｃ３４，Ｃ５４  平滑コンデンサ、ＤＢ  ダイオードブリッジ、Ｌ３１，Ｌ５３  チョークコイル、Ｑ３２，Ｑ５１  スイッチング素子、Ｒ４１，Ｒ４２，Ｒ７１，Ｒ７２  分圧抵抗、Ｒ６１  電流検出抵抗。
【図１】
0005733931.tif 000002
【図２】
0005733931.tif 000003
【図３】
0005733931.tif 000004
【図４】
0005733931.tif 000005
【図５】
0005733931.tif 000006
【図６】
0005733931.tif 000007
【図７】
0005733931.tif 000008
【図８】
0005733931.tif 000009
【図９】
0005733931.tif 000010
【図１０】
0005733931.tif 000011
【図１１】
0005733931.tif 000012